(57)【要約】【課題】奥行き感のある立体表示が可能な演出表意装置を提供すること。【解決手段】少なくとも裏面側に光を出射する複数のＬＥＤ（発光体）６が２次元に実装された複数の透明基板３を適当な間隔で平行に配置するとともに、これらの透明基板３の奥側に反射体４を配置して演出表示装置１を構成する。又、前記透明基板３の正面側に光学レンズ又は光学シート１０を配置する。更に、発光体を表面側と裏面側に光を出射するＬＥＤ６で構成する。例えば、このＬＥＤ６には、ＬＥＤ素子６ａを電極８に直接ボンディングしたものを使用する。【選択図】図２
2016024252.tif 000002
【特許請求の範囲】
【請求項１】
ハウジングと、前記ハウジングの最奥側に設けられた反射体と、表面側又は裏面側の少なくとも一方の側に光を出射する複数の発光体と、前記複数の発光体が２次元に実装された複数の透明基板と、を有し、
前記複数の透明基板はお互いが適当な間隔で平行に配置されると共に、前記反射体と平行に配置されることを特徴とする演出表示装置。
【請求項２】
前記複数の透明基板よりも正面側に光学レンズ又は光学シートを配置したことを特徴とする請求項１記載の演出表示装置。
【請求項３】
前記発光体を表面側と裏面側に光を出射するＬＥＤで構成したことを特徴とする請求項１又は２記載の演出表示装置。
【発明の詳細な説明】
【技術分野】
【０００１】
本発明は、発光体を用いて特定の演出パターンを３次元表示するための演出表示装置に関するものである。
【背景技術】
【０００２】
例えば、パチンコ機等の遊技機においては、遊技の進行に伴ってＬＣＤ等の演出表示装置に種々の演出パターンが表示されるが、従来、この種の演出表示装置としては、２次元の演出パターンを表示する平面表示装置が専ら使用されていた。この平面表示装置は、ＬＥＤ等の複数の発光体を基板上に２次元的に配置することによって構成されていた。
【０００３】
ところで、特許文献１には、３次元的な立体表示を行う立体表示装置が提案されている。ここで、特許文献１において提案された立体表示装置を図６に示す。
【０００４】
即ち、図６は特許文献１において提案された立体表示装置の構成を示す斜視図であり、図示の立体表示装置１０１においては、複数のＬＥＤ１０２がｘ，ｙ方向に２次元的に配置された複数枚（図示例では３枚）の透明基板１０３が適当な間隔でｚ方向に配置されている。ここで、各ＬＥＤ１０２は、駆動回路１０４に接続されており、駆動回路１０４は、コンピュータ１０５に接続されて該コンピュータ１０５によって制御される。
【０００５】
斯かる立体表示装置１０１においては、コンピュータ１０５によって任意のＬＥＤ１０２が選択され、選択されたＬＥＤ１０２の発光色と輝度が指定されるが、その情報は駆動回路１０４に伝えられる。そして、コンピュータ１０５によって選択されたＬＥＤ１０２に駆動回路１０４によって電圧が印加されると、一群のＬＥＤ１０２が所定の色及び輝度で発光するため、カラーの３次元像が立体表示される。
【先行技術文献】
【特許文献】
【０００６】
【特許文献１】特開平８−２８６６２４号公報
【発明の概要】
【発明が解決しようとする課題】
【０００７】
しかしながら、特許文献１において提案された図６に示す立体表示装置１０１においては、透明基板１０３の表面に反射防止膜（不図示）をコーティングしているため、透明基板１０３での反射を利用した立体感の高い表示ができないという問題がある。又、ＬＥＤ１０２として、透明基板１０３の裏面側にも光を出射するものが使用されていないため、透明基板１０３の反射を利用した立体表示ができないという問題がある。
【０００８】
本発明は上記問題に鑑みてなされたもので、その目的とする処は、奥行き感のある立体表示が可能な演出表意装置を提供することにある。
【課題を解決するための手段】
【０００９】
上記目的を達成するため、請求項１記載の演出表示装置は、ハウジングと、前記ハウジングの最奥側に設けられた反射体と、表面側又は裏面側の少なくとも一方の側に光を出射する複数の発光体と、前記複数の発光体が２次元に実装された複数の透明基板と、を有し、前記複数の透明基板はお互いが適当な間隔で平行に配置されると共に、前記反射体と平行に配置されることを特徴とする。
【００１０】
請求項２記載の発明は、請求項１記載の発明において、前記複数の透明基板よりも正面側に光学レンズ又は光学シートを配置したことを特徴とする。
【００１１】
請求項３記載の発明は、請求項１又は２記載の発明において、前記発光体を表面側と裏面側に光を出射するＬＥＤで構成したことを特徴とする。
【発明の効果】
【００１２】
請求項１記載の発明によれば、透明基板に実装された各発光体から出射する光は、その正面側又は奥側に配置された他の透明基板の表面又は裏面、及び反射体によってハウジング内で反射し、最終的に正面側に出射するため、反射による虚像も含めて多数の発光体が光って見え、奥行き感のある立体表示が実現される。
【００１３】
請求項２記載の発明によれば、光学レンズ又は光学シートを組み合わせ、点灯する透明基板を切り替えて光学レンズ又は光学シートと発光体の距離を変えることによって、表示される演出パターンの見栄え（大きさ等）を変化させることができる。
【図面の簡単な説明】
【００１４】
【図１】本発明に係る演出表示装置の斜視図である。
【図２】本発明に係る演出表示装置の平断面図である。
【図３】図２のＡ部拡大詳細図である。
【図４】パッケージタイプのＬＥＤの構成図である。
【図５】電極にＬＥＤ素子を直接ボンディングして成るＬＥＤの構成図である。
【図６】特許文献１において提案された立体表示装置の構成を示す斜視図である。
【発明を実施するための形態】
【００１５】
以下に本発明の実施の形態を添付図面に基づいて説明する。
【００１６】
図１は本発明に係る演出表示装置の斜視図、図２は同演出表示装置の平断面図、図３は図２のＡ部拡大詳細図、図４はパッケージタイプのＬＥＤの構成図である。
【００１７】
本実施の形態に係る演出表示装置１は、パチンコ機等の遊技機において遊技の進行に伴って種々の演出パターンを立体表示するためのものであって、図１及び図２に示すように、一部が開口する矩形ボックス状の透明なハウジング２の内部に、矩形平板状の複数枚（図示例では３枚）の透明基板３を前後方向（ｙ方向）に適当な間隔（図２の間隔ｂ）で垂直且つ平行に配置して収容するとともに、ハウジング２の奥側の開口部をミラー又はハーフミラーから成る矩形平板状の反射体４で閉塞し、ハウジング２の上面開口部を矩形蓋状のキャップ５によって閉塞することによって構成されている。
【００１８】
上記各透明基板３は、薄い矩形のフィルムであって、これには発光体として複数（図示例では、縦６個×横６個の計３６個）のＬＥＤ６が図２に示すピッチａで２次元且つマトリクス状にそれぞれ実装されている。尚、本実施の形態では、各ＬＥＤ６として、図４に示すパッケージタイプにものが用いられており、各ＬＥＤ６は、例えば赤（Ｒ）、緑（Ｒ）、青（Ｂ）の３原色の光を透明基板３の表面側と裏面側に向かって出射する。ＬＥＤ６の透明基板３への実装配置は、マトリクス状に限らず、利用する演出効果に応じた任意の配置が利用できる。発光体であるＬＥＤ６の像が装置前後方向に多数観察される効果を得るためには、各透明基板３間でＬＥＤ６の配置ルールが同等であることが好ましい。
【００１９】
ここで、パッケージタイプのＬＥＤ６は、図４に示すように、透明基板３の表面に実装されたＬＥＤ素子６ａを透明樹脂７によって封止することによって構成されており、ＬＥＤチップ６ａと透明基板３の裏面に配置された電極8とは電気的に導通している。
【００２０】
ところで、複数のＬＥＤ6が実装された３枚の各透明基板3は薄くて所定の形状を保持することができないため、図２及び図３に示すように、各透明基板３は、該透明基板３よりも厚くて剛性の高い矩形平板状の透明樹脂板９によって裏打ちされている。
【００２１】
而して、ハウジング２の相対向する側壁２Ａの内面には、上下方向（ｚ方向）に延びる矩形溝２ａが前後方向（ｙ方向）にピッチｂ（図２参照）で形成されており、相対向する２つの矩形溝２ａに各透明基板３とこれに裏打ちされた各透明樹脂板９の幅方向（ｘ方向）両端縁が図３に示すように差し込まれることによって、３組の透明基板３と透明樹脂板９が前後方向（ｙ方向）に適当な間隔（図２の間隔ａ）で垂直且つ平行に配置された状態でハウジング２内に収容されている。尚、各透明基板３を平行に配置した場合、観察される複数のＬＥＤ６の像が装置前後方向で直線状に並ぶ効果が得られる。ＬＥＤ６の像に変化を持たせる目的で透明基板３を相互に非平行に配置することもできる。
【００２２】
又、矩形平板状の前記反射体４は、ハウジング２の奥側開口部の周縁に取り付けられており、その内面は反射面を構成している。
【００２３】
更に、本実施の形態では、図２に示すように、ハウジング２の正面側にホログラムシート等の光学シート１０が配置されている。ここで、光学シート１０は、入射光を特定の方向に拡散透過させる機能を果たすものであって、本実施の形態では、当該演出表示装置１に表示される絵柄や文字等の演出パターンを各ＬＥＤ６の発光、反射体４、透明基板３、透明樹脂板９による各ＬＥＤ６発光の反射光によって再生するように光学設計されている。本実施の形態では、光源距離に応じて再生像の大きさが変化するよう構成されたリップマン型ホログラムを用いている。尚、光学シート１０に代えて同様の機能を有する光学レンズを用いても良い。又、図示しないが、本実施の形態に係る演出表示装置１においては、各透明基板３にそれぞれ実装された複数のＬＥＤ６は、駆動回路に接続されており、駆動回路は、コンピュータ等の制御機器に接続されて該制御機器によって制御される。
【００２４】
以上のように構成された演出表示装置１において、制御機器によって任意のＬＥＤ６が選択され、選択されたＬＥＤ６の発光色と輝度が指定されるが、その情報は駆動回路に伝えられる。すると、制御機器によって選択されたＬＥＤ６に駆動回路によって電圧が印加され、一群のＬＥＤ６が所定の色及び輝度で発光するため、所定の演出パターンがカラーの３次元像として立体表示される。又、反射体４、透明基板３、透明樹脂板９により反射されるＬＥＤ６の発光によっても所定の演出パターンがカラーの３次元像として立体表示される。
【００２５】
而して、本実施の形態に係る演出表示装置１においては、透明基板３に実装された複数のＬＥＤ６から表面側に出射する光は、ハウジング２の正面側にある透明基板３及び透明樹脂板９の裏面でハウジング２の奥側へと反射された後に、奥側に配置された他の透明基板３、透明樹脂板９の裏面及び反射体４の反射面で再され、正面側に出射する。これらの作用によって、反射によるＬＥＤ６の虚像も含めて多数のＬＥＤ６が光って見え、演出パターンの奥行き感のある立体表示が実現される。
【００２６】
又、本実施の形態では、光学シート１０を組み合わせ、点灯する透明基板３を切り替えて光学シート１０とＬＥＤ６の距離を変えることによって、表示される演出パターンの見栄え（大きさ等）を任意に変化させることができる。
【００２７】
ところで、本実施の形態では、ＬＥＤ６として図４に示す構成を有するパッケージタイプのものを使用したが、図５に示すようにＬＥＤ素子６ａをボンディングワイヤー１１によって電極８に直接ボンディングして構成されて表面発光と裏面発光が可能なものを使用しても良い。このようなタイプのＬＥＤ６を使用することによって、発光体であるＬＥＤ６の小型化と透明基板３の裏面側に出射する光の量（裏面発光量）を増やすことができる。
【００２８】
尚、以上は本発明を遊技機に使用される演出表示装置に対して適用した形態について説明したが、本発明は、他の任意の用途に供せられる演出表示装置に対しても同様に適用可能であることは勿論である。
【符号の説明】
【００２９】
１      演出表示装置
２      ハウジング
２Ａ    ハウジングの側壁
２ａ    ハウジングの矩形溝
３      透明基板
４      反射体
５      キャップ
６      ＬＥＤ（発光体）
６ａ    ＬＥＤ素子
７      透明樹脂
８      電極
９      透明樹脂板
１０    光学シート
１１    ボンディングワイヤー
【図１】
2016024252.tif 000003
【図２】
2016024252.tif 000004
【図３】
2016024252.tif 000005
【図４】
2016024252.tif 000006
【図５】
2016024252.tif 000007
【図６】
2016024252.tif 000008